(57)【要約】【課題】同軸ケーブル用コネクタ自身のインピーダンス不整合部を少なくして同軸ケーブルの高周波特性を良好に保つことができる同軸ケーブル用コネクタを提供する。【解決手段】同軸ケーブル用コネクタ１は、同軸ケーブルＤ１の端末に取り付けられる第１コネクタ８と、他の同軸ケーブルＤ２の端末に取り付けられ、前記第１コネクタ８と接続される第２コネクタ９と、で構成される。前記第１コネクタ８は、ハウジング３とシェル４との間に第２シェル７が挿入されることによって端子２を第２端子５に向かって押し出す押圧部３２を有している。【選択図】図３
2009199763.tif 000002
【特許請求の範囲】
【請求項１】
同軸ケーブルの端末に取り付けられる第１コネクタと、他の同軸ケーブルの端末または電子機器に取り付けられ、前記第１コネクタと接続される第２コネクタと、で構成される同軸ケーブル用コネクタであって、
前記第１コネクタが、前記同軸ケーブルの芯線に接続される電線接続部と前記第２コネクタに接続される電気接続部とを有する端子と、該端子を収容する筒状のハウジングと、導電性材料により筒状に構成され、前記ハウジングを覆いかつ前記同軸ケーブルの編組に接続されるシェルと、を有し、
前記第２コネクタが、前記他の同軸ケーブルの芯線または前記電子機器の回路に接続される接続部と前記電気接続部に嵌合されて該電気接続部に接続される第２電気接続部とを有する第２端子と、該第２端子を収容する筒状の第２ハウジングと、導電性材料により筒状に構成され、前記第２ハウジングを覆いかつ前記ハウジングと前記シェルとの間に挿入される第２シェルと、を有し、さらに、
前記第１コネクタが、前記ハウジングと前記シェルとの間に前記第２シェルが挿入されることによって前記端子を前記第２端子に向かって押し出す押し出し手段を有していることを特徴とする同軸ケーブル用コネクタ。
【請求項２】
前記押し出し手段が、前記ハウジングの前記第２端子から離れた側の縁部と、該縁部から前記シェル側に突出し、前記第２シェルにより前記第２端子から離れる側に押圧される外側突出部と、前記縁部から前記ハウジングの内側に突出し、前記外側突出部が押圧されて前記第２端子から離れる側に変位されることにより前記第２端子に近付く側に変位されて、前記端子２を前記第２端子に向かって押圧する内側突出部と、を有する押圧部により構成されていることを特徴とする請求項１に記載の同軸ケーブル用コネクタ。
【請求項３】
前記押し出し手段が、前記ハウジングの外表面から前記シェル側に突出した第１突出部と、前記端子の外表面に設けられ、前記第２端子から離れるにしたがって前記ハウジングの内側に近付く方向に傾斜したテーパ面と、前記ハウジングの内表面のうち、前記第１突出部の裏側に位置する部分から突出し、前記第１突出部と前記シェルとの間に前記第２シェルが侵入することにより前記ハウジングの内側に向かって変位されて、前記ハウジングの内側に向かって前記テーパ面を押圧する第２突出部と、により構成され、そして、
前記テーパ面が前記第２突出部に押圧されることにより、該テーパ面が前記第２突出部の表面上を摺動して前記端子が前記第２端子に向かって押し出されることを特徴とする請求項１に記載の同軸ケーブル用コネクタ。
【発明の詳細な説明】
【技術分野】
【０００１】
本発明は、高周波信号を伝送するアンテナ線などの同軸ケーブルの接続に用いられる同軸ケーブル用コネクタに関するものである。
【背景技術】
【０００２】
一般に、アンテナ線等として用いられる同軸ケーブルは、電磁波や静電気などの電気的ノイズを遮断するために、絶縁被覆により覆われた芯線の外側を編組シールドによって覆い、さらにその外側を絶縁シースにより覆った構成となっている。そして、この様な同軸ケーブルを他の同軸ケーブルや電子機器に接続する同軸ケーブル用コネクタとして、例えば図６に示す構成のものがある（例えば、特許文献１を参照。）。
【０００３】
図６に示す同軸ケーブル用コネクタ２０１は、同軸ケーブルＤ１の端末に取り付けられる第１コネクタ２０８と、他の同軸ケーブルＤ２の端末に取り付けられ、第１コネクタ２０８と接続される第２コネクタ９と、で構成される。
【０００４】
上記同軸ケーブルＤ１，Ｄ２は、芯線１１と、芯線１１を被覆した絶縁被覆１２と、絶縁被覆１２を覆う図示しない編組と、この編組を被覆した図示しないシースと、で構成されており、前記編組、絶縁被覆１２及び芯線１１がそれぞれ所定の長さで露出した状態になるように皮むき処理が施されている。
【０００５】
上記第１コネクタ２０８は、同軸ケーブルＤ１の芯線１１を圧着する電線接続部２２３と第２コネクタ９に接続される棒状の電気接続部２２１と前記電線接続部２２３と前記電気接続部２２１とを連結する連結部２２２とを有する端子２０２と、この端子２０２を収容する円筒状のハウジング２０３と、導電性材料により円筒状に構成され、ハウジング２０３を覆いかつ同軸ケーブルＤ１の編組に接続されるシェル２０４と、を有している。また、前記連結部２２２は、前記電気接続部２２１よりも大径の棒状に設けられている。
【０００６】
上記第２コネクタ９は、他の同軸ケーブルＤ２の芯線１１を圧着する接続部５３と前記電気接続部２２１と接続される円筒状の第２電気接続部５１と接続部５３と前記第２電気接続部５１とを連結する連結部５２とを有する第２端子５と、この第２端子５を収容する円筒状の第２ハウジング６と、導電性材料により円筒状に構成され、第２ハウジング６を覆いかつ前記ハウジング２０３と前記シェル２０４との間に挿入される第２シェル７と、を有している。
【０００７】
上記構成の同軸ケーブル用コネクタ２０１は、同軸ケーブルＤ１，Ｄ２の長手方向と平行な嵌合方向Ｋに沿って互いに近付けられることにより、第２電気接続部５１内に電気接続部２２１が挿入されてこれら第２電気接続部５１と電気接続部２２１とが互いに電気接続される。そして、第２シェル７がハウジング２０３とシェル２０４との間に挿入されて第２シェル７とシェル２０４とが互いに電気接続される。
【特許文献１】特開２００６−２４４９９号公報
【発明の開示】
【発明が解決しようとする課題】
【０００８】
しかしながら、上述した従来の同軸ケーブル用コネクタ２０１においては、各構成部品の公差寸法のばらつきにより生じるガタにより、図６に示す嵌合状態において、電気接続部２２１が第２電気接続部５１の奥側まで完全に挿入、即ち嵌合、されていない状態となることがあった。このように電気接続部２２１が第２電気接続部５１の奥側まで完全に挿入されてない状態の場合、第２電気接続部５１の外部に位置付けられた電気接続部２２１の連結部２２２寄りの端部（図６中に符号Ｓで示す。）の周りに空間が生じ、この空間により同軸ケーブル用コネクタ２０１の特性インピーダンスに乱れが生じ、即ちインピーダンス不整合部が生じ、同軸ケーブルＤ１，Ｄ２の高周波特性に影響を与えてしまうという問題があった。
【０００９】
したがって、本発明は、同軸ケーブル用コネクタ自身のインピーダンス不整合部を少なくして同軸ケーブルの高周波特性を良好に保つことができる同軸ケーブル用コネクタを提供することを目的とする。
【課題を解決するための手段】
【００１０】
上記目的を達成するために、請求項１に記載された発明は、同軸ケーブルの端末に取り付けられる第１コネクタと、他の同軸ケーブルの端末または電子機器に取り付けられ、前記第１コネクタと接続される第２コネクタと、で構成される同軸ケーブル用コネクタであって、前記第１コネクタが、前記同軸ケーブルの芯線に接続される電線接続部と前記第２コネクタに接続される電気接続部とを有する端子と、該端子を収容する筒状のハウジングと、導電性材料により筒状に構成され、前記ハウジングを覆いかつ前記同軸ケーブルの編組に接続されるシェルと、を有し、前記第２コネクタが、前記他の同軸ケーブルの芯線または前記電子機器の回路に接続される接続部と前記電気接続部に嵌合されて該電気接続部に接続される第２電気接続部とを有する第２端子と、該第２端子を収容する筒状の第２ハウジングと、導電性材料により筒状に構成され、前記第２ハウジングを覆いかつ前記ハウジングと前記シェルとの間に挿入される第２シェルと、を有し、さらに、前記第１コネクタが、前記ハウジングと前記シェルとの間に前記第２シェルが挿入されることによって前記端子を前記第２端子に向かって押し出す押し出し手段を有していることを特徴とする同軸ケーブル用コネクタである。
【００１１】
請求項２に記載された発明は、請求項１に記載された発明において、前記押し出し手段が、前記ハウジングの前記第２端子から離れた側の縁部と、該縁部から前記シェル側に突出し、前記第２シェルにより前記第２端子から離れる側に押圧される外側突出部と、前記縁部から前記ハウジングの内側に突出し、前記外側突出部が押圧されて前記第２端子から離れる側に変位されることにより前記第２端子に近付く側に変位されて、前記端子を前記第２端子に向かって押圧する内側突出部と、を有する押圧部により構成されていることを特徴とするものである。
【００１２】
請求項３に記載された発明は、請求項１に記載された発明において、前記押し出し手段が、前記ハウジングの外表面から前記シェル側に突出した第１突出部と、前記端子の外表面に設けられ、前記第２端子から離れるにしたがって前記ハウジングの内側に近付く方向に傾斜したテーパ面と、前記ハウジングの内表面のうち、前記第１突出部の裏側に位置する部分から突出し、前記第１突出部と前記シェルとの間に前記第２シェルが侵入することにより前記ハウジングの内側に向かって変位されて、前記ハウジングの内側に向かって前記テーパ面を押圧する第２突出部と、により構成され、そして、前記テーパ面が前記第２突出部に押圧されることにより、該テーパ面が前記第２突出部の表面上を摺動して前記端子が前記第２端子に向かって押し出されることを特徴とするものである。
【発明の効果】
【００１３】
請求項１に記載された発明によれば、前記第１コネクタが、前記ハウジングと前記シェルとの間に前記第２シェルが挿入されることによって前記端子を前記第２端子に向かって押し出す押し出し手段を有していることから、電気接続部と第２電気接続部とをがたつくことなくそれらの全長に亘って完全に嵌合させることができ、同軸ケーブル用コネクタ自身のインピーダンス不整合部を少なくすることができるので、同軸ケーブルの高周波特性を良好に保つことができる同軸ケーブル用コネクタを提供することができる。
【００１４】
請求項２に記載された発明によれば、前記押し出し手段が、前記ハウジングの前記第２端子から離れた側の縁部と、該縁部から前記シェル側に突出し、前記第２シェルにより前記第２端子から離れる側に押圧される外側突出部と、前記縁部から前記ハウジングの内側に突出し、前記外側突出部が押圧されて前記第２端子から離れる側に変位されることにより前記第２端子に近付く側に変位されて、前記端子を前記第２端子に向かって押圧する内側突出部と、を有する押圧部により構成されていることから、電気接続部と第２電気接続部とをがたつくことなくそれらの全長に亘って完全に嵌合させることができ、同軸ケーブル用コネクタ自身のインピーダンス不整合部を少なくすることができるので、同軸ケーブルの高周波特性を良好に保つことができる同軸ケーブル用コネクタを提供することができる。
【００１５】
請求項３に記載された発明によれば、前記押し出し手段が、前記ハウジングの外表面から前記シェル側に突出した第１突出部と、前記端子の外表面に設けられ、前記第２端子から離れるにしたがって前記ハウジングの内側に近付く方向に傾斜したテーパ面と、前記ハウジングの内表面のうち、前記第１突出部の裏側に位置する部分から突出し、前記第１突出部と前記シェルとの間に前記第２シェルが侵入することにより前記ハウジングの内側に向かって変位されて、前記ハウジングの内側に向かって前記テーパ面を押圧する第２突出部と、により構成され、そして、前記テーパ面が前記第２突出部に押圧されることにより、該テーパ面が前記第２突出部の表面上を摺動して前記端子が前記第２端子に向かって押し出されることから、電気接続部と第２電気接続部とをがたつくことなくそれらの全長に亘って完全に嵌合させることができ、同軸ケーブル用コネクタ自身のインピーダンス不整合部を少なくすることができるので、同軸ケーブルの高周波特性を良好に保つことができる同軸ケーブル用コネクタを提供することができる。
【発明を実施するための最良の形態】
【００１６】
本発明の第１の実施形態に係る同軸ケーブル用コネクタを図１ないし図３を参照して説明する。図１は、本発明の第１の実施形態に係る同軸ケーブル用コネクタを示す断面斜視図である。図２は、図１に示された同軸ケーブル用コネクタを構成する第１コネクタを示す断面図である。図３は、図１に示された同軸ケーブル用コネクタを構成する第１コネクタと第２コネクタとが嵌合した状態を示す断面図である。
【００１７】
本発明の同軸ケーブル用コネクタ１は、高周波信号を伝送するアンテナ線などの同軸ケーブルＤ１，Ｄ２の接続に用いられる同軸ケーブル用コネクタ１である。この同軸ケーブル用コネクタ１は、図１に示すように、同軸ケーブルＤ１の端末に取り付けられる第１コネクタ８と、他の同軸ケーブルＤ２の端末に取り付けられ、第１コネクタ８と接続される第２コネクタ９と、で構成される。
【００１８】
上記同軸ケーブルＤ１，Ｄ２は、高周波信号を伝送する電線であり、それぞれ、導電性の芯線１１と、芯線１１を被覆した合成樹脂製の絶縁被覆１２と、絶縁被覆１２を覆って芯線１１をシールドする導電性の編組（不図示）と、この編組を被覆した合成樹脂製のシース（不図示）と、で構成されており、前記編組、絶縁被覆１２及び芯線１１がそれぞれ所定の長さで露出した状態になるように皮むき処理が施されている。
【００１９】
上記第１コネクタ８は、図２に示すように、端子２と、この端子２を収容するハウジング３と、ハウジング３を覆いかつ同軸ケーブルＤ１の編組に接続されるシェル４と、を有している。
【００２０】
上記端子２は、導電性の金属板にプレス処理等が施されて得られるものであり、同軸ケーブルＤ１の露出された芯線１１をかしめ片により圧着する電線接続部２３と、第２コネクタ９の後述の第２端子５に嵌合されて該第２端子５に接続される棒状の電気接続部２１と、前記電線接続部２３と前記電気接続部２１とを連結する連結部２２と、を有している。また、前記連結部２２は、前記電気接続部２１よりも大径の棒状に設けられている。
【００２１】
上記ハウジング３は、絶縁性の合成樹脂により円筒状に構成されている。このハウジング３は、電線接続部２３から離れた側に設けられた開口部３０（図２を参照。）から、後述の第２端子５の第２電気接続部５１を受け入れる。
【００２２】
上記シェル４は、導電性の金属板にプレス処理等が施されて得られるものであり、前記編組に電気的に接続するとともに他の同軸ケーブルＤ２の後述の第２シェル７に電気的に接続することにより、この編組を他の同軸ケーブルＤ２の編組に接続する。またはこの編組を適当な接地部にアース接続させる。また、シェル４は、ハウジング３を覆うことにより、端子２をシールドする。このハウジング３を覆う部分は、図１ないし図３に示すように円筒状に設けられており、ハウジング３との間には第２シェル７を収容するための空間が設けられている。また、シェル４のハウジング３を覆う部分は、電線接続部２３から離れた側に設けられた開口部４０（図２を参照。）から、第２シェル７を受け入れる。
【００２３】
上記第２コネクタ９は、図１及び図３に示すように、第２端子５と、この第２端子５を収容する円筒状で合成樹脂製の第２ハウジング６と、第２ハウジング６を覆いかつ同軸ケーブルＤ２の編組に接続される第２シェル７と、を有している。
【００２４】
上記第２端子５は、導電性の金属板にプレス処理等が施されて得られるものであり、他の同軸ケーブルＤ２の露出された芯線１１をかしめ片により圧着する接続部５３と、第１コネクタ８の電気接続部２１と嵌合して該電気接続部２１に接続される円筒状の第２電気接続部５１と、前記接続部５３と前記第２電気接続部５１とを連結する連結部５２と、を有している。
【００２５】
上記第２シェル７は、導電性の金属板にプレス処理等が施されて得られるものであり、前記編組に電気的に接続するとともに同軸ケーブルＤ１のシェル４に電気的に接続することにより、この編組を同軸ケーブルＤ１の編組に接続する。またはこの編組を適当な接地部にアース接続させる。また、第２シェル７は、第２ハウジング６を覆うことにより、第２端子５をシールドする。また、本実施形態では、第２端子５の第２電気接続部５１が第２ハウジング６外に突出しており、第２シェル７がハウジング６及び前記第２電気接続部５１を覆う円筒状に設けられている。また、この第２シェル７と第２電気接続部５１との間にはハウジング３を収容するための空間が設けられている。このような第２シェル７は、ハウジング３とシェル４との間に挿入されるとともに、当該第２シェル７と第２電気接続部５１との間にハウジング３を収容する。
【００２６】
さらに、上記第１コネクタ８は、第２ハウジング３とシェル４との間に第２シェル７が挿入されることによって端子２を第２端子５に向かって押し出す押し出し手段としての押圧部３２を有している。
【００２７】
この押圧部３２は、ハウジング３の第２端子５から離れた側の縁部３２ａと、縁部３２ａからシェル４側に突出し、第２シェル７により第２端子５から離れる側に押圧される外側突出部３２ｂと、縁部３２ａからハウジング３の内側に突出し、外側突出部３２ｂが押圧されて第２端子５から離れる側に変位されることにより第２端子５に近付く側に変位されて、端子２を第２端子５に向かって押圧する内側突出部３２ｃと、を有している。このような押圧部３２は、ハウジング３を構成する外壁３１の厚み方向（図中矢印Ｙで示す）、即ちハウジング３の径方向、に沿って板状に延びた形状となっている。
【００２８】
上記構成の同軸ケーブル用コネクタ１は、同軸ケーブルＤ１，Ｄ２の長手方向と平行な嵌合方向Ｋに沿って互いに近付けられることにより、第２電気接続部５１内に電気接続部２１が挿入されてこれら第２電気接続部５１と電気接続部２１とが互いに嵌合し、電気接続される。そして、第２シェル７がハウジング３とシェル４との間に挿入されて第２シェル７とシェル４とが互いに電気接続される。
【００２９】
また、第１コネクタ８と第２コネクタ９との嵌合動作の最終段階において、第２シェル７の先端部７１が外側突出部３２ｂのＡ部に突き当たり、この外側突出部３２ｂを嵌合方向Ｋに沿って押圧する。このことにより、外側突出部３２ｂが第２端子５から離れる側に変位されるとともに内側突出部３２ｃが第２端子５に近付く側に変位されて、端子２が内側突出部３２ｃのＢ部に押圧され、第２端子５に向かって押し出される。そして、図３に示すように、電気接続部２１がその全長に亘って完全に第２電気接続部５１内に収容される。また、この状態の電気接続部２１は、電線接続部２３が内側突出部３２ｃに押圧されていることから、第２電気接続部５１に対してがたつくことが防止される。
【００３０】
本発明ではこのように、第１コネクタ８が、ハウジング３とシェル４との間に第２シェル７が挿入されることによって端子２を第２端子５に向かって押し出す押圧部３２を有していることから、各構成部品の公差寸法のばらつきにより第１コネクタ８と第２コネクタ９との間にガタが生じている場合であっても、嵌合状態においては、電気接続部２１をその全長に亘って完全に第２電気接続部５１内に挿入即ち嵌合させることができ、この状態を維持することができる。このような本発明の同軸ケーブル用コネクタ１は、電気接続部２１が第２電気接続部５１の奥側まで完全に挿入されていない状態となること（図６に示す従来品を参照。）を防止できるので、同軸ケーブル用コネクタ１自身のインピーダンス不整合部を少なくすることができる。よって、同軸ケーブルＤ１，Ｄ２の高周波特性を良好に保つことができる。
【００３１】
続いて、本発明の第２の実施形態にかかる同軸ケーブル用コネクタを、図４及び図５を参照して説明する。図４は、本発明の第２の実施形態に係る同軸ケーブル用コネクタを構成する第１コネクタを示す断面図である。図５は、本発明の第２の実施形態に係る同軸ケーブル用コネクタを構成する図４に示された第１コネクタと第２コネクタとが嵌合した状態を示す断面図である。また、これらの図において、上述した第１の実施形態と同一構成部分には同一符号を付して説明を省略する。
【００３２】
図５に示す本実施形態の同軸ケーブル用コネクタ１０１は、同軸ケーブルＤ１の端末に取り付けられる第１コネクタ１０８と、他の同軸ケーブルＤ２の端末に取り付けられ、第１コネクタ１０８と接続される第２コネクタ９と、で構成される。
【００３３】
上記第１コネクタ１０８は、図４に示すように、端子１０２と、この端子１０２を収容するハウジング１０３と、ハウジング１０３を覆いかつ同軸ケーブルＤ１の編組に接続されるシェル４と、ハウジング１０３とシェル４との間に第２シェル７が挿入されることによって端子１０２を第２端子５に向かって押し出す押し出し手段と、を有している。
【００３４】
この押し出し手段は、ハウジング１０３を構成する外壁３１の外表面からシェル４側に突出した第１突出部３３と、端子１０２の連結部２２の外表面に設けられ、第２端子５から離れるにしたがってハウジング１０３の内側に近付く方向に傾斜したテーパ面２４ａを有する凹み部２４と、前記外壁３１の内表面のうち前記第１突出部３３の裏側に位置する部分から突出した第２突出部３４と、により構成されている。また、前記凹み部２４は、端子１０２を構成する金属板に打ち出し加工が施されることにより設けられている。また、前記第２突出部３４は、第１突出部３３とシェル４との間に第２シェル７が侵入することによりハウジング１０３の内側に向かって変位されて、即ち矢印Ｙ方向に沿って変位されて、ハウジング１０３の内側に向かってテーパ面２４ａを押圧する。そして、このテーパ面２４ａが第２突出部３４に押圧されることにより、該テーパ面２４ａが第２突出部３４の表面上を摺動して端子１０２が第２端子５に向かって押し出される。また、第２突出部３４には、テーパ面２４ａと同じ角度に傾斜した傾斜面３４ａが設けられており、テーパ面２４ａはこの傾斜面３４ａ上を摺動する。
【００３５】
上記構成の同軸ケーブル用コネクタ１０１は、嵌合方向Ｋに沿って互いに近付けられることにより、第２電気接続部５１内に電気接続部２１が挿入されてこれら第２電気接続部５１と電気接続部２１とが互いに嵌合し、電気接続される。そして、第２シェル７がハウジング１０３とシェル４との間に挿入されて第２シェル７とシェル４とが互いに電気接続される。
【００３６】
また、第１コネクタ１０８と第２コネクタ９との嵌合動作の途中段階において、第２シェル７が第１突出部３３に突き当たり、この第１突出部３３をハウジング１０３の内側に押しながらハウジング１０３の外壁３１とシェル４との間に侵入する。このことにより、第２突出部３４がハウジング１０３の内側に向かってテーパ面２４ａを押圧し、このテーパ面２４ａが傾斜面３４ａ上を摺動して端子１０２が第２端子５に向かって押し出される。そして、図５に示すように、電気接続部２１がその全長に亘って完全に第２電気接続部５１内に収容される。また、この状態の電気接続部２１は、テーパ面２４ａが第２突出部３４に押圧されていることから、第２電気接続部５１に対してがたつくことが防止される。
【００３７】
本発明ではこのように、第１コネクタ１０８が、ハウジング１０３とシェル４との間に第２シェル７が挿入されることによって端子１０２を第２端子５に向かって押し出す押し出し手段を有していることから、各構成部品の公差寸法のばらつきにより第１コネクタ１０８と第２コネクタ９との間にガタが生じている場合であっても、嵌合状態においては、電気接続部２１をその全長に亘って完全に第２電気接続部５１内に挿入即ち嵌合させることができ、この状態を維持することができる。このような本発明の同軸ケーブル用コネクタ１０１は、電気接続部２１が第２電気接続部５１の奥側まで完全に挿入されていない状態となること（図６に示す従来品を参照。）を防止できるので、同軸ケーブル用コネクタ１０１自身のインピーダンス不整合部を少なくすることができる。よって、同軸ケーブルＤ１，Ｄ２の高周波特性を良好に保つことができる。
【００３８】
また、上述した第１，第２の実施形態では、第１コネクタ８，１０８に雄型の端子２，１０２が設けられ、第２コネクタ９に雌型の第２端子５が設けられていたが、これらは逆の構成であっても良い。即ち、第１コネクタに雌型の端子が設けられ、第２コネクタに雄型の第２端子が設けられていても良い。
【００３９】
また、上述した第１，第２の実施形態では、第２コネクタ９が、同軸ケーブルＤ２の端末に取り付けられている例を説明したが、本発明では、第２コネクタが電子機器の回路に接続されていても良い。その場合は、接続部が前記回路に接続され、第２シェルがグランド側に接地された導電性部材に接続されることになる。
【００４０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の第１の実施形態に係る同軸ケーブル用コネクタを示す断面斜視図である。
【図２】図１に示された同軸ケーブル用コネクタを構成する第１コネクタを示す断面図である。
【図３】図１に示された同軸ケーブル用コネクタを構成する第１コネクタと第２コネクタとが嵌合した状態を示す断面図である。
【図４】本発明の第２の実施形態に係る同軸ケーブル用コネクタを構成する第１コネクタを示す断面図である。
【図５】本発明の第２の実施形態に係る同軸ケーブル用コネクタを構成する図４に示された第１コネクタと第２コネクタとが嵌合した状態を示す断面図である。
【図６】従来の同軸ケーブル用コネクタを示す断面図である。
【符号の説明】
【００４２】
１，１０１  同軸ケーブル用コネクタ
２，１０２  端子
３，１０３  ハウジング
４  シェル
５  第２端子
６  第２ハウジング
７  第２シェル
８，１０８  第１コネクタ
９  第２コネクタ
１１  芯線
２１  電気接続部
２３  電線接続部
２４ａ  テーパ部（押し出し手段）
３２  押圧部（押し出し手段）
３２ａ  縁部
３２ｂ  外側突出部
３２ｃ  内側突出部
３３  第１突出部（押し出し手段）
３４  第２突出部（押し出し手段）
５１  第２電気接続部
５３  接続部
【図１】
2009199763.tif 000003
【図２】
2009199763.tif 000004
【図３】
2009199763.tif 000005
【図４】
2009199763.tif 000006
【図５】
2009199763.tif 000007
【図６】
2009199763.tif 000008